【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
本体の移送面に流入する遊技球を移送手段により移送して前記本体から排出する移送装置であって、
前記移送手段により移送される遊技球に接するように該遊技球の移送方向の上流側から下流側に張設され、該遊技球を清浄する帯状の清浄部材と、
前記移送面の下流側に設けられる下流側折返し部から折返された前記清浄部材を前記本体の外面に沿って保持する下流側保持部と、
前記移送面の上流側に設けられる上流側折返し部から折返された前記清浄部材を前記本体の外面に沿って保持する上流側保持部と、
を備え、
前記下流側保持部は、
前記本体の外面に設けられ、前記上流側折返し部側に傾斜して形成された第１挟持部と、
前記第１挟持部との間で前記清浄部材を挟持する挟持位置と、該挟持位置から前記上流側折返し部方向に退避した退避位置と、の間で前記本体の外面に沿ってスライド移動可能に配設された第２挟持部と、
前記第２挟持部を前記下流側折返し部方向に付勢する付勢手段と、
を備え、
前記下流側折返し部から折返された前記清浄部材を、前記第１挟持部と前記第２挟持部との間を挿通して該第２挟持部よりも前記上流側折返し部方向に引き出し可能に構成され、
前記付勢手段により前記第２挟持部が前記退避位置から前記挟持位置に向けて付勢されることで、前記清浄部材が前記第１挟持部との間で挟持されるとともに該清浄部材に対して張力が付与され、
前記清浄部材を前記上流側折返し部方向に引き出すことにより、前記第２挟持部が前記付勢手段の付勢力に抗して前記挟持位置から前記退避位置まで移動され、該清浄部材の挟持が解除される
ことを特徴とする移送装置。
【請求項２】
本体の移送面に流入する遊技球を移送手段により移送して前記本体から排出する移送装置であって、
前記移送手段により移送される遊技球に接するように該遊技球の移送方向の上流側から下流側に張設され、該遊技球を清浄する帯状の清浄部材と、
前記移送面の下流側に設けられる下流側折返し部から折返された前記清浄部材を前記本体の外面に沿って保持する下流側保持部と、
前記移送面の上流側に設けられる上流側折返し部から折返された前記清浄部材を前記本体の外面に沿って保持する上流側保持部と、
を備え、
前記上流側保持部は、
前記本体の外面に設けられ、前記下流側折返し部側に傾斜して形成された第１挟持部と、
前記第１挟持部との間で前記清浄部材を挟持する挟持位置と、該挟持位置から前記下流側折返し部方向に退避した退避位置と、の間で前記本体の外面に沿ってスライド移動可能に配設された第２挟持部と、
前記第２挟持部を前記上流側折返し部方向に付勢する付勢手段と、
を備え、
前記上流側折返し部から折返された前記清浄部材を、前記第１挟持部と前記第２挟持部との間を挿通して該第２挟持部よりも前記下流側折返し部方向に引き出し可能に構成され、
前記付勢手段により前記第２挟持部が前記退避位置から前記挟持位置に向けて付勢されることで、前記清浄部材が前記第１挟持部との間で挟持されるとともに該清浄部材に対して張力が付与され、
前記清浄部材を前記下流側折返し部方向に引き出すことにより、前記第２挟持部が前記付勢手段の付勢力に抗して前記挟持位置から前記退避位置まで移動され、該清浄部材の挟持が解除される
ことを特徴とする移送装置。
【手続補正２】
【補正対象書類名】明細書
【補正対象項目名】００１０
【補正方法】変更
【補正の内容】
【００１０】
上記課題を解決するために、本発明の請求項１に記載の移送装置は、
本体（１００）の移送面（通路板１１４におけるパチンコ球との対向面（内面））に流入する遊技球（パチンコ球）を移送手段（搬送ベルト１０３、上部ローラ１０１、下部ローラ１０２、揚送モータ８０）により移送して前記本体から排出する移送装置（揚送装置２５）であって、
前記移送手段により移送される遊技球に接するように該遊技球の移送方向の上流側（本体１００の下部側）から下流側（本体１００の上部側）に張設され、該遊技球を清浄する帯状の清浄部材（清浄布１１６）と、
前記移送面の下流側に設けられる下流側折返し部（直線状通路カバー１０４の上端部）から折返された前記清浄部材を前記本体の外面（直線状通路カバー１０４の外面）に沿って保持する下流側保持部（上部クランプ装置３００）と、
前記移送面の上流側に設けられる上流側折返し部（直線状通路カバー１０４の下端部）から折返された前記清浄部材を前記本体の外面（直線状通路カバー１０４の外面）に沿って保持する上流側保持部（下部クランプ装置４００）と、
を備え、
前記下流側保持部（上部クランプ装置３００）は、
前記本体の外面（直線状通路カバー１０４の外面）に設けられ、前記上流側折返し部側に傾斜して形成された第１挟持部（傾斜板３０７に固着されたゴム板３０８の挟持部３０８ａ）と、
前記第１挟持部との間で前記清浄部材を挟持する挟持位置と、該挟持位置から前記上流側折返し部方向（下方）に退避した退避位置と、の間で前記本体の外面に沿ってスライド移動可能に配設された第２挟持部（傾斜板３０２ｄの刃部３１４）と、
前記第２挟持部を前記下流側折返し部方向（上方）に付勢する付勢手段（引張りバネ３０３）と、
を備え、
前記下流側折返し部から折返された前記清浄部材を、前記第１挟持部と前記第２挟持部との間を挿通して該第２挟持部よりも前記上流側折返し部方向に引き出し可能に構成され（図１８（ａ）（ｂ）参照）、
前記付勢手段により前記第２挟持部が前記退避位置から前記挟持位置に向けて付勢されることで、前記清浄部材が前記第１挟持部との間で挟持されるとともに該清浄部材に対して張力が付与され（図１８（ｂ）参照）、
前記清浄部材を前記上流側折返し部方向に引き出すことにより、前記第２挟持部が前記付勢手段の付勢力に抗して前記挟持位置から前記退避位置まで移動され、該清浄部材の挟持が解除される（図１８（ａ）参照）
ことを特徴としている。
この特徴によれば、清浄部材は、下流側保持部から第１挟持部と第２挟持部との間を挿通して該第２挟持部よりも上流側折返し部方向に引き出し可能に設けられる。この状態で清浄部材を上流側折返し部方向に向けて引き出すと、下流側保持部にて下流側折返し部方向に折返された清浄部材が上流側折返し部方向に引き出され、この清浄部材により第２挟持部が付勢手段の付勢力に抗して退避位置に戻されるため、清浄部材を引き出すだけで挟持状態が簡単に解除される。また、引き出した清浄部材を手放すと、付勢手段により挟持位置に向けて付勢される第２挟持部が、清浄部材を下流側折返し部方向に引き込みながら第１挟持部に押圧して挟持するため、清浄部材を引き出すだけの簡単な作業を繰り返すだけで張力を徐々に高めていくことができる。
【手続補正３】
【補正対象書類名】明細書
【補正対象項目名】００１１
【補正方法】変更
【補正の内容】
【００１１】
本発明の請求項２に記載の移送装置は、
本体（１００）の移送面（通路板１１４における遊技球との当接面）に流入する遊技球（パチンコ球）を移送手段（搬送ベルト１０３、上部ローラ１０１、下部ローラ１０２、揚送モータ８０）により移送して前記本体から排出する移送装置（揚送装置２５）であって、
前記移送手段により移送される遊技球に接するように該遊技球の移送方向の上流側（本体１００の下部側）から下流側（本体１００の上部側）に張設され、該遊技球を清浄する帯状の清浄部材（清浄布１１６）と、
前記移送面の下流側に設けられる下流側折返し部（直線状通路カバー１０４の上端部）から折返された前記清浄部材を前記本体の外面（直線状通路カバー１０４の外面）に沿って保持する下流側保持部（上部クランプ装置３００）と、
前記移送面の上流側に設けられる上流側折返し部（直線状通路カバー１０４の下端部）から折返された前記清浄部材を前記本体の外面（直線状通路カバー１０４の外面）に沿って保持する上流側保持部（下部クランプ装置４００）と、
を備え、
前記上流側保持部は、
前記本体の外面（直線状通路カバー１０４の外面）に設けられ、前記下流側折返し部側に傾斜して形成された第１挟持部（傾斜板３０７に固着されたゴム板３０８の挟持部３０８ａ）と、
前記第１挟持部との間で前記清浄部材を挟持する挟持位置と、該挟持位置から前記下流側折返し部方向（上方）に退避した退避位置と、の間で前記本体の外面に沿ってスライド移動可能に配設された第２挟持部（傾斜板３０２ｄの刃部３１４）と、
前記第２挟持部を前記上流側折返し部方向（下方）に付勢する付勢手段（引張りバネ３０３）と、
を備え、
前記上流側折返し部から折返された前記清浄部材を、前記第１挟持部と前記第２挟持部との間を挿通して該第２挟持部よりも前記下流側折返し部方向に引き出し可能に構成され（図１８（ａ）（ｂ）参照）、
前記付勢手段により前記第２挟持部が前記退避位置から前記挟持位置に向けて付勢されることで、前記清浄部材が前記第１挟持部との間で挟持されるとともに該清浄部材に対して張力が付与され（図１８（ｂ）参照）、
前記清浄部材を前記下流側折返し部方向に引き出すことにより、前記第２挟持部が前記付勢手段の付勢力に抗して前記挟持位置から前記退避位置まで移動され、該清浄部材の挟持が解除される（図１８（ａ）参照）
ことを特徴としている。
この特徴によれば、清浄部材は、上流側保持部から第１挟持部と第２挟持部との間を挿通して該第２挟持部よりも下流側折返し部方向に引き出し可能に設けられる。この状態で清浄部材を下流側折返し部方向に向けて引き出すと、上流側保持部にて上流側折返し部方向に折返された清浄部材が下流側折返し部方向に引き出され、この清浄部材により第２挟持部が付勢手段の付勢力に抗して退避位置に戻されるため、清浄部材を引き出すだけで挟持状態が簡単に解除される。また、引き出した清浄部材を手放すと、付勢手段により挟持位置に向けて付勢される第２挟持部が、清浄部材を上流側折返し部方向に引き込みながら第１挟持部に押圧して挟持するため、清浄部材を引き出すだけの簡単な作業を繰り返すだけで張力を徐々に高めていくことができる。
【手続補正４】
【補正対象書類名】明細書
【補正対象項目名】００１２
【補正方法】変更
【補正の内容】
【００１２】
本発明の手段１に記載の移送装置は、請求項１または２に記載の移送装置であって、
前記第１挟持部（傾斜板３０７に固着されたゴム板３０８の挟持部３０８ａ）を、前記第２挟持部（傾斜板３０２ｄの刃部３１４）のスライド移動方向（上下方向）に対して前記退避位置側から前記挟持位置側に向けて漸次該第２挟持部側（後面側）に傾斜させて設けた
ことを特徴としている。
この特徴によれば、挟持位置において第２挟持部が付勢手段により第１挟持部に向けて付勢されるほど清浄部材の挟持力が高まるだけでなく、折返された清浄部材が強く引張られるので、清浄部材の張力が高まる。
【手続補正５】
【補正対象書類名】明細書
【補正対象項目名】００１３
【補正方法】変更
【補正の内容】
【００１３】
本発明の手段２に記載の移送装置は、請求項１、請求項２、手段１のいずれかに記載の移送装置であって、
前記下流側保持部は、前記本体の外面から離れた位置に設けられる固定部を備え、
前記固定部（傾斜板３０７の先端部３０７ａ）における前記清浄部材（清浄布１１６）との接触面における摩擦抵抗を、前記第２挟持部（傾斜板３０２ｄの刃部３１４）における前記清浄部材との接触面における摩擦抵抗よりも小とした（傾斜板３０７の先端部３０７ａを金属板の端辺部とし、傾斜板３０２ｄの刃部３１４を凹凸部とした）
ことを特徴としている。
この特徴によれば、固定部における清浄部材の引っ掛かりが生じにくくなるばかりか、第１挟持部と第２挟持部とによる清浄部材の挟持力が高まることで、清浄部材にさらに張力を与えることができる。
【手続補正６】
【補正対象書類名】明細書
【補正対象項目名】００１４
【補正方法】変更
【補正の内容】
【００１４】
本発明の手段３に記載の移送装置は、請求項１、請求項２、手段１、手段２のいずれかに記載の移送装置であって、
前記下流側保持部は、前記本体の外面から離れた位置に設けられる固定部を備え、
前記下流側保持部（上部クランプ装置３００）または前記上流側保持部（上部クランプ装置３００を下部クランプ装置に適用した場合）は、
前記本体の外面（直線状通路カバー１０４の外面）に沿って配置されるスライド部（スライド板３０２ａ）と、該スライド部における前記第１挟持部側の端辺（上辺）から前記固定部側に向けて屈曲形成され、先端辺に前記第２挟持部が形成される傾斜部（傾斜板３０２ｄ）と、を有するスライド部材（３０２）を備え、
前記傾斜部は、前記退避位置において前記清浄部材に前記第２挟持部が当接しないように、前記スライド部に対して傾斜して設けられている（図１９（ａ）参照）
ことを特徴としている。
この特徴によれば、第２挟持部が退避位置に退避すると、固定部とスライド部材におけるスライド部と傾斜部との屈曲部とに掛け渡される清浄部材から第２挟持部が確実に離れ、清浄部材を引き出す際における第２挟持部の引っ掛かりが生じにくくなるため、清浄部材を引き出しやすくなる。